(57)【要約】【課題】スピーカを内蔵する表示装置において、薄型化と高音質化とを両立させる。【解決手段】表示装置（１００）は、表示部（Ａ）と、床面に設置され、表示部（Ａ）を支持するスタンド部（Ｂ）と、ウーファ（３１）と、を備えており、表示部（Ａ）とスタンド部（Ｂ）とは一体になっており、ウーファ（３１）は、スタンド部（Ｂ）内に、出音方向が下向きになるように配設されており、ウーファ（３１）のための出音口（２２）が、スタンド部（Ｂ）の背面に設けられている。【選択図】図５
2014195166.tif 000002
【特許請求の範囲】
【請求項１】
表示部と、
床面に設置され、該表示部を支持するスタンド部と、
スピーカと、を備えており、
該表示部と該スタンド部とは一体になっており、
該スピーカは、該スタンド部内に、出音方向が下向きになるように配設されており、
該スピーカのための出音口が、該スタンド部の背面に設けられていることを特徴とする表示装置。
【請求項２】
上記スタンド部の底部に、上記スピーカの出音面に対向するように配置された反射板を備えていることを特徴とする請求項１に記載の表示装置。
【請求項３】
上記スピーカが、ウーファであることを特徴とする請求項１または２に記載の表示装置。
【請求項４】
上記表示装置の正面から見たときの、上記スタンド部の奥行き方向の幅が、上記表示部の奥行き方向の幅よりも長くなっていることを特徴とする請求項１〜３の何れか一項に記載の表示装置。
【請求項５】
上記スタンド部が、上記表示部よりも、背面側に突出していることを特徴とする請求項４に記載の表示装置。
【請求項６】
請求項１〜５の何れか一項に記載の表示装置を備えていることを特徴とするテレビジョン受像機。
【発明の詳細な説明】
【技術分野】
【０００１】
本発明は、スピーカを内蔵する表示装置に関するものである。
【背景技術】
【０００２】
近年、スピーカの小型化および薄型化が進んだため、迫力ある低音を再生するため薄型のウーファが表示パネルの背面に取り付けられた表示装置が開発されている。
【０００３】
また、近年、テレビやＰＣ等の使用がパーソナライズされており、その際に使用される表示装置は、中小型のものが用いられる場合がある。但し、このような中小型の表示装置においても、上述したようなスピーカを搭載することが求められる場合がある。
【０００４】
スピーカを内蔵する表示装置として、例えば、特許文献１に記載されているような、表示部とスタンド部との二つのユニットで構成した薄型表示装置がある。但し、このような薄型表示装置では、表示部とスタンド部とをネジなどの連結手段で連結する必要があり、組み立て作業が煩雑となる。
【０００５】
これに対し、特許文献２には、表示部とスタンド部とが一体になっている表示装置が記載されている。特許文献２に記載の表示装置では、音質改善のためのウーファを、表示装置の背面に設置している。
【先行技術文献】
【特許文献】
【０００６】
【特許文献１】特開２００８−２１１３８１号公報（２００８年９月１０日公開）
【特許文献２】特開２００１−３０７４７０号公報（２００１年１１月２日公開）
【発明の概要】
【発明が解決しようとする課題】
【０００７】
しかし、特許文献２に記載の技術では、表示装置の背面にウーファを設置するため、薄型化が困難であるという問題がある。特に、中小型の表示装置では、背面に設置されたウーファは必ず他の部品と２段重ねになるため、薄型化が困難である。
【０００８】
本発明は、上記課題に鑑みてなされたものであり、スピーカを内蔵する表示装置において、薄型化と高音質化とを両立させることを主たる目的とする。
【課題を解決するための手段】
【０００９】
上記の課題を解決するために、本発明の一態様に係る表示装置は、表示部と、床面に設置され、該表示部を支持するスタンド部と、スピーカと、を備えており、該表示部と該スタンド部とは一体になっており、該スピーカは、該スタンド部内に、出音方向が下向きになるように配設されており、該スピーカのための出音口が、該スタンド部の背面に設けられていることを特徴としている。
【発明の効果】
【００１０】
本発明の一態様によれば、表示部とスタンド部とが一体になっている表示装置において、スピーカをスタンド部に配設するため、例えスピーカが大型であったとしても、表示部を好適に薄型化することができる。すなわち、薄型化と高音質化とを両立させることができる。
【図面の簡単な説明】
【００１１】
【図１】本発明の一実施形態に係る表示装置の正面側の外観を模式的に示す斜視図である。
【図２】本発明の一実施形態に係る表示装置の背面側の外観を模式的に示す斜視図である。
【図３】本発明の一実施形態に係る表示装置からバックキャビネットを取り除いた状態の構成を示す斜視図である。
【図４】本発明の一実施形態に係る表示装置からバックキャビネットおよびウーファを取り除いた状態の構成を示す斜視図である。
【図５】本発明の一実施形態に係る表示装置の内部構造を模式的に示す側方断面図である。
【図６】本発明の一実施形態に係る表示装置からバックキャビネット２０を取り除いた状態の構成を示す側方断面図である。
【図７】本発明の一実施形態に係る表示装置からバックキャビネット２０を取り除いた状態の構成を床面側から観察した底面図である。
【発明を実施するための形態】
【００１２】
本発明の一実施形態に係る筐体、及び、該筐体を備えた表示装置について、図１から図７を用いて説明する。本実施形態に係る表示装置は、これに限定されないが、例えば、テレビジョン受像機であり得る。なお、以下の説明では本発明を実施するために好ましい種々の限定が付加されているが、本発明の技術的範囲は以下の実施形態及び図面の記載に限定されるものではない。
【００１３】
〔表示装置の外部構造の概要〕
図１および図２を用いて、本発明の一実施形態に係る筐体および表示装置の外部構造の概略を説明する。
【００１４】
図１および図２において、１００は、表示装置の全体を示しており、図１は、表示装置１００の正面側の外観を模式的に示す斜視図であり、図２は、表示装置１００の背面側の外観を模式的に示す斜視図である。表示装置１００は、正面側において、表示画面１１を備えている。言い換えれば、表示装置１００における表示画面１１が設けられている側を正面と規定し、その反対側を背面と規定する。なお、表示装置１００は、これに限定するものではないが、例えば、液晶表示装置であり、表示画面１１は、液晶表示画面であり得る。
【００１５】
また、表示装置１００は、正面側にフロントキャビネット１０を備えており、背面側にバックキャビネット２０を備えている。そして、フロントキャビネット１０、バックキャビネット２０、およびフロントキャビネット１０とバックキャビネット２０とに挟まれた後述する台座部３２によって、表示装置１００の筐体１が構成される。フロントキャビネット１０およびバックキャビネット２０は、例えば、プラスチック等の射出成型物であり得るが、これに限定されず、金属等を含んでいてもよい。
【００１６】
また、図１および図２において、Ａは、表示画面１１を有する表示装置１００の表示部、および、筐体１における当該表示部を覆う部分を示している。また、Ｂは、床面に設置され、上記表示部を支持する表示装置１００のスタンド部、および、筐体１における床面に設置される部分を示している。
【００１７】
また、フロントキャビネット１０は、床面に設置される部分において、前方に突出する正面突出部分１２を有している。なお、本明細書において、表示装置１００または筐体１を正面から見たときの奥行き方向を前後方向と記載することがある。同様に、表示装置１００または筐体１を正面から見たときの水平方向を横方向と記載し、垂直方向を縦方向と記載することがある。正面突出部分１２は、フロントキャビネット１０の下部全体から突出しており、水平方向の断面の輪郭は円弧状となっている。正面突出部分１２には、例えば、カメラ１３が設けられている。但し、本実施形態はこれに限定されず、カメラ１３を設けなくてもよいし、カメラ１３に替えて、または加えて、Ｗｉ−Ｆｉ、３Ｇ等のための通信モジュールや、リモコン用の赤外線受光部、各種センサ等を設けてもよい。また、これらは複数個設けられていてもよい。
【００１８】
また、バックキャビネット２０は、床面に設置される部分において、後方に突出する背面突出部分（突出部分）２１を有している。背面突出部分２１は、バックキャビネット２０の下部の左右方向中央部から突出しており、水平方向の断面の輪郭は円弧状（半円形）となっている。背面突出部分２１の側面には、後述するウーファ３１の出音口２２がほぼ全面に設けられている。なお、ウーファ３１の出音口２２の構造は特に限定されず、例えば、溝構造であってもよいし、メッシュ構造であってもよい。
【００１９】
また、上記のように、表示装置１００のスタンド部は、表示部に対して背面側に突出しているため、表示装置を壁際に設置した場合であっても、表示部と壁との間の距離をとることができる。これにより、表示装置と壁とが近接することに起因するビビリの発生を抑制することができる。
【００２０】
以上のように、本実施形態に係る表示装置１００は、表示部とスタンド部とが一体となっている、いわゆるスタンドレス構造の表示装置であり、その筐体１は、表示装置１００の本体部を格納する部分Ａと、床面に設置される部分Ｂとが一体になっている。そのため、金型コストの削減および組み立て工程の簡素化を実現することができる。
【００２１】
〔表示装置の内部構造の概要〕
続いて、図３〜図７を用いて、筐体１および表示装置１００の内部構造の概略を説明する。
【００２２】
図３は、表示装置１００からバックキャビネット２０を取り除いた状態の構成を示す斜視図である。表示装置１００の内部には、各種の回路ブロック、電源、回路ブロック間の配線、ウーファ３１以外のスピーカ、液晶表示のためのバックライト光源、導光体、反射板等を含む内部構成３０が設けられている。
【００２３】
また、筐体１の底部（床面に設置される部分）には、台座部（スピーカ保持部）３２が設けられている。台座部３２は、筐体１の床面に設置される部分の一部を構成するとともに、表示装置１００が内蔵するウーファ（スピーカ）３１を保持するスピーカ保持部としても機能するものであり、台座部３２によって、ウーファ３１が、表示装置１００の底部（スタンド部）に、出音方向が下向きになるように配設される。
【００２４】
台座部３２は、例えば、金属等から構成することができる。
【００２５】
なお、台座部３２は、筐体１の床面に設置される部分における、横方向の中央部（筐体１の正面から見たときの水平方向の中央部）に設けられている。このように台座部３２を設置することにより、ウーファ３１を、表示装置１００の底部中央に配設して、表示装置１００の重心を、横方向にぶれさせることなく、下げることができる。これにより、表示装置１００の安定性を向上させることができる。これにより、地震や人の衝突時の振動に対する信頼性を向上させることができる。また、設置する床面が多少不安定であったとしても、問題なく設置することができるようになる。
【００２６】
なお、本実施形態では、台座部３２が保持する対象は、ウーファ３１であるが、他の種類のスピーカであってもよい。但し、台座部３２がウーファを保持することにより、表示装置１００は、低音を好適に再生することができるため、その音質を改善することができる。
【００２７】
図４は、表示装置１００からバックキャビネット２０を取り除き、さらにウーファ３１を取り除いた状態の構成を示す斜視図である。図４に示すように、台座部３２の底部に反射板３３が設けられている。言い換えれば、表示装置１００のスタンド部の底部には、ウーファ３１の出音面に対向するように配置された反射板３３が設けられている。
【００２８】
反射板３３は、例えば、金属等から構成することができる。反射板３３を設けることにより、ウーファ３１から下向きに出音した音を、反射板３３によって反射させて、背面の出音口２２から出音させることができる。ここで、反射板３３の材質および形状の少なくとも一方を調整することにより、音質を調整して良好な音質を得ることができる。
【００２９】
図５は、表示装置１００の内部構造を模式的に示す側方断面図である。図５に示すように、ウーファ３１は、表示装置１００のスタンド部（Ｂ）内に、出音方向が下向きになるように配設されており、ウーファ３１のための出音口２２が、当該スタンド部（Ｂ）の背面に設けられている。このように、ウーファ３１を表示装置１００のスタンド部（Ｂ）に配設するため、例えウーファ３１が大型であったとしても、表示部（Ａ）の背面に配設しないため、表示装置１００の表示部（Ａ）を好適に薄型化することができる。これにより、表示部（Ａ）の薄型化と高音質化とを両立させることができる。
【００３０】
特に、筐体１の床面に設置される部分（Ｂ）において、正面突出部分１２および背面突出部分２１が設けられているため、表示装置１００のスタンド部（Ｂ）の前後方向（表示装置１００の正面から見たときの奥行き方向）の幅が、表示装置１００の表示部（Ａ）の奥行き方向の幅よりも長くなっているため、スタンド部におけるスピーカ（本実施形態ではウーファ３１）の配設面積を大きくとることができ、高音質化に資することができる。
【００３１】
また、ウーファ３１を保持する台座部３２の少なくとも一部は、筐体１の背面突出部分２１内に設けられている。これにより、表示装置１００の重心を背面側に移すことができ、表示装置１００が前方、すなわち、視聴者側に倒れることを抑制することができる。なお、ウーファ３１の重心が、表示部（Ａ）の中心よりも後方に存在することが好ましく、ウーファ３１の全体が、表示部（Ａ）の中心よりも後方に存在することがより好ましい。
【００３２】
また、ウーファ３１から出音された音は、筐体１の背面突出部分２１の側面（表示装置１００のスタンド部（Ｂ）の背面）に設けられた出音口２２から出音される。特に、ウーファ３１のように低音を再生するスピーカは、視聴者から見て背面に設けられた出音口から好適に音を伝えることができる。
【００３３】
ここで、出音口２２がスタンド部（Ｂ）の背面に設けられていることにより、スタンド部（Ｂ）の正面側に、カメラ１３や、リモコンのための赤外線受光部、Ｗｉ−Ｆｉ、３Ｇ等のための通信用モジュール、各種センサ等を内蔵するためのスペースを好適に確保することができる。
【００３４】
また、図２に示すように、背面突出部分２１の水平方向における断面の輪郭は、円弧状であることにより、ウーファ３１が出音した音を、背面突出部分２１の側面から放射状に出音することができる。これにより、さらに好適に音を伝えることができる。但し、背面突出部分２１の形状はこれに限定されるものではない。
【００３５】
なお、本実施形態のように、ウーファ３１の出音方向を、縦方向（垂直方向）に向けて配設することにより、スタンド部（Ｂ）にウーファ３１を首尾よく格納することができる。ウーファ３１は、通常、出音方向の幅の方が、出音方向に垂直な方向の幅よりも短いからである。特に、台座部３２が、出音方向が下向きになるようにウーファ３１を保持することにより、さらに省スペース化を図ることができる。なぜなら、ウーファ３１を上向きに保持した場合、音を伝えるために上側にも板金等の構造物が必要となり、より大きなスペースが必要となるが、ウーファ３１を下向きに保持すれば、上述したような構造物は不要となり、省スペース化を図ることができるためである。
【００３６】
図６は、表示装置１００からバックキャビネット２０を取り除いた状態の構成を示す側方断面図であり、図７は、図６に示す構成を床面側から観察した底面図である。図７に示すように、表示装置および筐体１の底面は、正面突出部分１２の後方に、台座部３２が設けられた構成であり、台座部３２の後方に、さらに図示しない背面突出部分２１が設けられている。すなわち、台座部３２を、フロントキャビネット１０およびバックキャビネット２０によって挟んだサンドイッチ構造となっている。そして、この台座部３２がスピーカを保持し、スピーカと一体になっている構成である。
【００３７】
なお、表示装置１００の寸法は特に限定されず、適宜設定すればよいが、例えば、一例として、正面から見たときの水平方向の幅を約５６．５ｃｍとし、奥行きを約１７．５ｃｍとし、高さを約４１．８ｃｍとし、正面突出部分１２の表示部からの突出幅（図１のＬ１）を約５ｃｍとし、表示部の奥行き方向の幅（図１および２のＬ２）を約５ｃｍとし、背面突出部分２１の表示部からの突出幅（図２のＬ３）を約８ｃｍとし、表示装置１００の側端部から背面突出部分２１の側端部までの距離（図２のＬ４）を約１２ｃｍとし、表示装置１００の側端部から台座部３２の側端部までの距離（図３のＬ５）を約１７ｃｍとすることができる。
【００３８】
〔まとめ〕
本発明の一態様に係る表示装置（１００）は、表示部（Ａ）と、床面に設置され、該表示部を支持するスタンド部（Ｂ）と、スピーカ（ウーファ３１）と、を備えており、該表示部と該スタンド部とは一体になっており、該スピーカは、該スタンド部内に、出音方向が下向きになるように配設されており、該スピーカのための出音口（２２）が、該スタンド部の背面に設けられている。
【００３９】
上記の構成によれば、表示部とスタンド部とが一体になっている表示装置において、スピーカをスタンド部に配設するため、例えスピーカが大型であったとしても、表示部を好適に薄型化することができる。すなわち、表示部の薄型化と高音質化とを両立させることができる。
【００４０】
なお、スピーカを縦方向に向けることにより、スタンド部にスピーカを首尾よく格納することができる。
【００４１】
さらに、スピーカのための出音口を背面に設けることにより、スタンド部の正面側に、カメラ、リモコンのための赤外線受光部、Ｗｉ−Ｆｉ、３Ｇ等のための通信用モジュール、各種センサ等を内蔵するためのスペースを好適に確保することができる。
【００４２】
本発明の一態様に係る表示装置では、上記スタンド部の底部に、上記スピーカの出音面に対向するように配置された反射板（３３）を備えていてもよい。
【００４３】
上記の構成によれば、スピーカから下向きに出音した音を、反射板によって反射させることにより、音質を調整して良好な音質を得ることができる。
【００４４】
本発明の一態様に係る表示装置では、上記スピーカが、ウーファであってもよい。
【００４５】
上記の構成によれば、低音を好適に再生して、音質を改善することができる。また、ウーファであれば、スタンド部の背面に設けられた出音口から好適に音を伝えることができる。
【００４６】
本発明の一態様に係る表示装置では、上記表示装置の正面から見たときの、上記スタンド部の奥行き方向の幅が、上記表示部の奥行き方向の幅よりも長くなっていてもよい。
【００４７】
上記の構成によれば、スタンド部におけるスピーカの配設面積を大きくとることができるため、高音質化に資することができる。
【００４８】
本発明の一態様に係る表示装置では、上記スタンド部が、上記表示部よりも、背面側に突出していてもよい。
【００４９】
上記の構成によれば、表示装置を壁際に設置した場合であっても、表示部と壁との間の距離をとることができるため、ビビリの発生を抑制することができる。
【００５０】
なお、上記表示装置を備えているテレビジョン受像機も本発明の範疇に含まれる。
【００５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５２】
本発明は、テレビジョン受像機の製造分野において利用可能である。
【符号の説明】
【００５３】
１      筐体
１０    フロントキャビネット
１１    表示画面
１２    正面突出部分
１３    カメラ
２０    バックキャビネット
２１    背面突出部分（突出部分）
２２    出音口
３０    内部構成
３１    ウーファ（スピーカ）
３２    台座部（スピーカ保持部）
３３    反射板
１００  表示装置
Ａ      表示部
Ｂ      スタンド部
【図１】
2014195166.tif 000003
【図２】
2014195166.tif 000004
【図３】
2014195166.tif 000005
【図４】
2014195166.tif 000006
【図５】
2014195166.tif 000007
【図６】
2014195166.tif 000008
【図７】
2014195166.tif 000009